(57)【要約】【課題】  シートバックの意匠性を向上させると共に、車室内の乗員に対し、視覚的な安らぎを提供する【解決手段】  車両用シート装置１０では、シートバックパッド２４に複数の光源ユニット３８が埋設されており、しかも、この複数の光源ユニット３８は、シートバックフレーム１６に沿って所定間隔に配置されると共にシートバックパッド２４側からバックレスト３２側に向けて照明光を照射する構成である。従って、複数の光源ユニット３８から照明光が照射された場合には、シートバック１４のバックレスト３２が照らし出されるので、これにより、シートバック１４の意匠性を向上させることができる。また、夜間等のように車室内が暗いときにバックレスト３２側に向けて照明光を照射すれば、車室内にこれまでに無い光による幻想的な癒しの空間が形成され、これにより、車室内の乗員に対し、視覚的な安らぎを提供することが可能となる。【選択図】  図１
2007097866.tif 000002
【特許請求の範囲】
【請求項１】
シートバックフレームの内側にバックレストが張設されると共に前記シートバックフレームに沿ってシートバックパッドが設けられたシートバックと、
前記シートバックフレームに沿って配置されると共に前記シートバックパッドに埋設されて該シートバックパッド側から前記バックレスト側に向けて照明光を照射する複数の光源と、
を備えたことを特徴とする車両用シート装置。
【請求項２】
前記複数の光源は、前記バックレストにおける前記シートバックパッドの縁部に沿う領域に向けて照明光を照射することを特徴とする請求項１に記載の車両用シート装置。
【請求項３】
前記バックレストは、ネット体で構成され、
前記複数の光源は、前記シートバックパッドにおける前記バックレストよりも車両前方側に埋設されていることを特徴とする請求項１又は請求項２に記載の車両用シート装置。
【請求項４】
前記複数の光源には、照明光を所定の領域に照射するためのレンズがそれぞれ備えられていることを特徴とする請求項１乃至請求項３のいずれか一項に記載の車両用シート装置。
【発明の詳細な説明】
【技術分野】
【０００１】
本発明は、車両用シート装置に係り、特に、シートバックにネット状のバックレストを備えた車両用シート装置に関する。
【背景技術】
【０００２】
この種の車両用シート装置としては、次のものが知られている（例えば、特許文献１参照）。例えば、特許文献１には、自動車等の車両に設置されるネットシートの例が開示されている。この特許文献１に記載のネットシートには、逆Ｕ字状のシートフレームと、このシートフレームを被覆するように張設されるネット状のバックレストが備えられており、シートフレームとバックレストとの間には、パッド部材が設けられている。
【特許文献１】特開２００３−５２４８２号公報（図１，図２）
【発明の開示】
【発明が解決しようとする課題】
【０００３】
しかしながら、特許文献１に記載のネットシートでは、シートバックに照明光源を有しないので、意匠性（特に夜間等の車室内が暗いときの意匠性）の更なる向上のために改善の余地がある。また、車室内の乗員に対し、視覚的な安らぎを提供することはできなかった。
【０００４】
本発明は、上記事情に鑑みてなされたものであって、その目的は、シートバックの意匠性を向上させると共に、車室内の乗員に対し、視覚的な安らぎを提供することが可能な車両用照明装置を提供することにある。
【課題を解決するための手段】
【０００５】
前記課題を解決するために、請求項１に記載の車両用シート装置は、シートバックフレームの内側にバックレストが張設されると共に前記シートバックフレームに沿ってシートバックパッドが設けられたシートバックと、前記シートバックフレームに沿って配置されると共に前記シートバックパッドに埋設されて該シートバックパッド側から前記バックレスト側に向けて照明光を照射する複数の光源と、を備えたことを特徴とする。
【０００６】
このように、請求項１に記載の車両用シート装置では、シートバックパッドに複数の光源が埋設されており、しかも、この複数の光源は、シートバックフレームに沿って配置されると共にシートバックパッド側からバックレスト側に向けて照明光を照射する構成である。従って、複数の光源からバックレスト側に照明光が照射された場合には、シートバックのバックレストが照らし出されるので、これにより、シートバックの意匠性（特に夜間等の車室内が暗いときの意匠性、見栄え）を向上させることができる。
【０００７】
また、夜間等のように車室内が暗いときにバックレスト側に向けて照明光を照射すれば、車室内にこれまでに無い光による幻想的な癒しの空間が形成され、これにより、車室内の乗員に対し、視覚的な安らぎを提供することが可能となる。
【０００８】
請求項２に記載の発明は、請求項１に記載の車両用シート装置において、前記複数の光源は、前記バックレストにおける前記シートバックパッドの縁部に沿う領域に向けて照明光を照射することを特徴とする。
【０００９】
このように、請求項２に記載の車両用シート装置では、複数の光源が、バックレストにおけるシートバックパッドの縁部に沿う領域に向けて照明光を照射するように構成されている。従って、複数の光源から照明光が照射された場合には、バックレストにおけるシートバックパッドの縁部に沿って光が浮き上がるようになるので、これにより、シートバックの意匠性がより斬新なものとなると共に、車室内に形成される光による癒しの空間がより幻想的なものとなる。
【００１０】
請求項３に記載の発明は、請求項１又は請求項２に記載の車両用シート装置において、前記バックレストは、ネット体で構成され、前記複数の光源は、前記シートバックパッドにおける前記バックレストよりも車両前方側に埋設されていることを特徴とする。
【００１１】
このように、請求項３に記載の車両用シート装置では、バックレストが、ネット体で構成され、複数の光源が、シートバックパッドにおけるバックレストよりも車両前方側に埋設されている。従って、複数の光源からバックレスト側に照明光が照射された場合には、バックレストの車両前方側面が照らし出されるので、シートバックの車両前方側から車室内の乗員に対して視覚的な安らぎを提供することが可能となる。また、バックレストの車両前方側面に照射された照明光はバックレストの各ネット穴を介して車両後方側面に漏れるので、これにより、シートバックの車両後方側からも車室内の乗員に対して視覚的な安らぎを提供することが可能となる。
【００１２】
請求項４に記載の発明は、請求項１乃至請求項３のいずれか一項に記載の車両用シート装置において、前記複数の光源には、照明光を所定の領域に照射するためのレンズがそれぞれ備えられていることを特徴とする。
【００１３】
このように、請求項４に記載の車両用シート装置では、複数の光源に、照明光を所定の領域に照射するためのレンズがそれぞれ備えられている。この構成によれば、照明光がレンズによって所定の領域に照射されて所定の光の形状を作り出すことができるので、これにより、シートバックの意匠性がさらに向上する。
【発明の効果】
【００１４】
以上詳述したように、請求項１に記載の車両用シート装置によれば、シートバックパッドに複数の光源が埋設されており、しかも、この複数の光源は、シートバックフレームに沿って配置されると共にシートバックパッド側からバックレスト側に向けて照明光を照射する構成である。従って、複数の光源からバックレスト側に照明光が照射された場合には、シートバックのバックレストが照らし出されるので、これにより、シートバックの意匠性を向上させることができる。
【００１５】
また、夜間等のように車室内が暗いときにバックレスト側に向けて照明光を照射すれば、車室内にこれまでに無い光による幻想的な癒しの空間が形成され、これにより、車室内の乗員に対し、視覚的な安らぎを提供することが可能となる
【００１６】
また、請求項２に記載の車両用シート装置によれば、複数の光源が、バックレストにおけるシートバックパッドの縁部に沿う領域に向けて照明光を照射するように構成されているので、複数の光源から照明光が照射された場合には、バックレストにおけるシートバックパッドの縁部に沿って光が浮き上がるようになり、これにより、シートバックの意匠性がより斬新なものとなると共に、車室内に形成される光による癒しの空間がより幻想的なものとなる。
【００１７】
また、請求項３に記載の車両用シート装置によれば、バックレストが、ネット体で構成され、複数の光源が、シートバックパッドにおけるバックレストよりも車両前方側に埋設されている。従って、複数の光源からバックレスト側に照明光が照射された場合には、バックレストの車両前方側面が照らし出されるので、シートバックの車両前方側から車室内の乗員に対して視覚的な安らぎを提供することが可能となる。また、バックレストの車両前方側面に照射された照明光はバックレストの各ネット穴を介して車両後方側面に漏れるので、これにより、シートバックの車両後方側からも車室内の乗員に対して視覚的な安らぎを提供することが可能となる。
【００１８】
また、請求項４に記載の車両用シート装置によれば、複数の光源に、照明光を拡散するレンズがそれぞれ備えられているので、照明光がレンズによって所定の領域に照射されて所定の光の形状を作り出すことができ、これにより、シートバックの意匠性がさらに向上する。
【発明を実施するための最良の形態】
【００１９】
以下、本発明の一実施形態について、図を参照して説明する。なお、以下に説明する部材、配置等は、本発明を限定するものではなく、本発明の趣旨に沿って各種改変することができることは勿論である。
【００２０】
はじめに、図１乃至図３を参照しながら、本発明の一実施形態に係る車両用シート装置１０の構成について説明する。
【００２１】
本発明の一実施形態に係る車両用シート装置１０は、例えば、乗用自動車等の車両にフロントシートとして好適に装備されるものである。以下、一例として、車両のフロントシートに車両用シート装置１０を適用した例について説明する。
【００２２】
本実施形態に係る車両用シート装置１０には、図１に示されるように、シートクッション１２と、シートバック１４とが備えられている。シートバック１４には、逆Ｕ字状のシートバックフレーム１６が設けられており、このシートバックフレーム１６には、複数設けられたうちの一例を図２（図１のＡ−Ａ線断面図）に示すように、シートバックフレーム１６の形成方向に沿って所定間隔にシートバックブラケット１８が複数設けられている。
【００２３】
このシートバックブラケット１８の車両幅方向外側には、バックボード３４を固定すると共にシートバック表皮３０の外側端部を引っ掛けるための第一フック２０が設けられており、シートバックブラケット１８の車両幅方向内側には、シートバック表皮３０の内側端部とバックレスト３２の外側端部を引っ掛けるための第二フック２２が設けられている。
【００２４】
そして、このシートバック１４では、ネット状（メッシュ状）の布材（つまりネット体）で構成されたバックレスト３２の外側端部を各第二フック２２に引っ掛けることにより、シートバックフレーム１６の内側にバックレスト３２が張設されている。
【００２５】
また、シートバックフレーム１６には、シートバックフレーム１６の形成方向に沿って例えば発泡材等によって形成されたシートバックパッド２４が設けられている。このシートバックパッド２４の各シートバックブラケット１８が位置する部位には、後述する光源ユニット３８を収容する収容部２６が形成されており、この収容部２６のバックレスト３２側には、光源ユニット３８からの照明光を出射するための出射部２８が開口形成されている。
【００２６】
そして、シートバックパッド２４は、シートバック表皮３０により被覆されている。シートバック表皮３０の外側端部は、第一フック２０に引っ掛けられており、シートバック表皮３０の内側端部は、第二フック２２に引っ掛けられている。また、バックボード３４は、クリップ３６を備えており、このクリップ３６が第一フック２０に係止されることによりシートバック１４の背面に固定されている。
【００２７】
シートバックフレーム１６の形成方向に沿って所定間隔に設けられた各シートバックブラケット１８には、図２に示されるように、光源としての光源ユニット３８が設けられている。この光源ユニット３８は、ケース４０と、ブラケット４２と、基板４４と、レンズ４６を有して構成されており、シートバックパッド２４におけるバックレスト３２よりも車両前方側に埋設されている。基板４４には、ＬＥＤ４８が実装されており、このＬＥＤ４８は、シートバックパッド２４側からレンズ４６及び出射部２８を介してバックレスト３２側に向けて、より具体的には、バックレスト３２におけるシートバックパッド２４の縁部に沿う領域Ａ１に向けて照明光を照射する。
【００２８】
そして、本実施形態の車両用シート装置１０には、図３に示されるように、制御ユニット５０が設けられている。この制御ユニット５０の入力側には、例えば、サイドドアの開閉を検知するカーテシスイッチ等のスイッチ５２が配線接続されており、制御ユニット５０の出力側には、各光源ユニット３８のＬＥＤ４８がそれぞれ電気的に接続されている。
【００２９】
次に、上記構成からなる車両用シート装置１０の動作と併せてその作用及び効果について説明する。
【００３０】
上記構成の車両用シート装置１０において、例えばサイドドアを開けることによりカーテシスイッチ等のスイッチ５２から制御ユニット５０に出力信号が出力されると、制御ユニット５０は、各ＬＥＤ４８を点灯させる。
【００３１】
そして、本実施形態の車両用シート装置１０では、シートバックパッド２４に複数の光源ユニット３８が埋設されており、しかも、この複数の光源ユニット３８は、シートバックフレーム１６に沿って所定間隔に配置されると共にシートバックパッド２４側からバックレスト３２側に向けて照明光を照射する構成である。従って、複数の光源ユニット３８からバックレスト３２側に照明光が照射された場合には、シートバック１４のバックレスト３２が照らし出されるので、これにより、シートバック１４の意匠性（特に夜間等の車室内が暗いときの意匠性、見栄え）を向上させることができる。
【００３２】
また、夜間等のように車室内が暗いときにバックレスト３２側に向けて照明光を照射すれば、車室内にこれまでに無い光による幻想的な癒しの空間が形成され、これにより、車室内の乗員に対し、視覚的な安らぎを提供することが可能となる。
【００３３】
また、本実施形態の車両用シート装置１０では、複数の光源ユニット３８が、バックレスト３２におけるシートバックパッド２４の縁部に沿う領域Ａ１に向けて照明光を照射するように構成されている。従って、複数の光源ユニット３８から照明光が照射された場合には、図１に示されるように、シートバック１４に逆Ｕ字状の光が浮き上がるようになるので、これにより、シートバック１３の意匠性がより斬新なものとなると共に、車室内に形成される光による癒しの空間がより幻想的なものとなる。
【００３４】
また、本実施形態の車両用シート装置１０では、複数の光源ユニット３８が、シートバックパッド２４におけるバックレスト３２よりも車両前方側に埋設されている。従って、複数の光源ユニット３８からバックレスト３２側に照明光が照射された場合には、バックレスト３２の車両前方側面が照らし出されるので、シートバック１４の車両前方側から車室内の乗員に対して視覚的な安らぎを提供することが可能となる。また、バックレスト３２の車両前方側面に照射された照明光はバックレスト３２の各ネット穴を介して車両後方側面に漏れるので、これにより、シートバック１４の車両後方側からも車室内の乗員に対して視覚的な安らぎを提供することが可能となる。
【００３５】
また、本実施形態の車両用シート装置１０では、各光源ユニット３８に、照明光を所定の領域に照射するためのレンズ４６がそれぞれ備えられている。この構成によれば、照明光がレンズ４６によって所定の領域に照射されて所定の光の形状（本実施形態では逆Ｕ字状）を作り出すことができるので、これにより、シートバック１４の意匠性がさらに向上する。また、照明光がレンズ４６によって拡散されてバックレスト３２の広範囲を照らし出すことができるので、これにより、夜間等の暗い中での乗降性も向上する。
【００３６】
なお、上記実施形態では、カーテシスイッチ等のスイッチ５２から制御ユニット５０に出力信号が出力された場合に制御ユニット５０が各ＬＥＤ４８を点灯させるようにしたが、次のようにしても良い。すなわち、制御ユニット５０は、ヘッドランプスイッチをオン操作したことによる出力信号や、車両用シート装置１０の点灯用に別途車内に専用の操作スイッチを設け、この操作スイッチが操作されたことによる出力信号等に基づいてＬＥＤ４８を点灯させるようにしても良い。
【００３７】
また、上記実施形態では、ＬＥＤ４８を単に点灯させるようにしたが、制御ユニット５０によって１／ｆゆらぎパターンに基づいてＬＥＤ４８から出射される照明光を揺らがせるようにしても良い。すなわち、ＬＥＤ４８から出射される照明光が常に点灯された状態で照明光の光量（照度）を揺らがせたり、ＬＥＤ４８から出射される照明光が点滅を伴うように照明光の光量（照度）を揺らがせたり、ＬＥＤ４８が点滅する間隔を１／ｆ揺らぎパターンに基づいて変化させたりしても良い。また、サイドドアが開けられたことに応じて連続的に点灯させたり、一定の間隔で点滅させたりしても良い。
【図面の簡単な説明】
【００３８】
【図１】図１は本発明の一実施形態に係る車両用シート装置の構成を示す正面図である。
【図２】図２は図１のＡ−Ａ線断面図である。
【図３】図３は本発明の一実施形態に係る車両用シート装置の全体構成を示すブロック図である。
【符号の説明】
【００３９】
１０  車両用シート装置
１４  シートバック
１６  シートバックフレーム
２４  シートバックパッド
３２  バックレスト（ネット体）
３８  光源ユニット（光源）
４６  レンズ
４８  ＬＥＤ
【図１】
2007097866.tif 000003
【図２】
2007097866.tif 000004
【図３】
2007097866.tif 000005